(57)【要約】【課題】  オートフォーカス時に合焦範囲となるようにズームレンズの移動位置を制限して制御すると共に、ズームレンズの制限範囲に対応してズームレンズの移動可能範囲を表示部に表示して、マクロ撮影モードにおけるズーム動作を適正にして操作性を向上させる。【解決手段】  本発明の撮像装置は、接写撮影モード及びズーム撮影モードを選択可能とするマクロ／ズーム操作部１１と、接写撮影モード及びズーム撮影モードの選択に基づいて撮像レンズ１を光軸方向に駆動するモーター駆動回路８と、接写撮影モード及びズーム撮影モードが選択されたときに撮像レンズ１の駆動をフォーカス制御が合焦状態となる制限範囲に制限するように制御すると共に、接写撮影モード及びズーム撮影モードが選択されたときに表示部６に撮像レンズ１の駆動範囲の表示をするための信号を制限範囲に対応して発生するマクロ時ズーム制御系１２を備えたものである。【選択図】        図１
2005249870.tif 000002
【特許請求の範囲】
【請求項１】
光学系のフォーカス制御を介して撮像手段により被写体を撮像し、表示手段に撮像画像を表示すると共に、記録手段により撮像画像を記録媒体に記録する撮像装置において、
接写撮影モード及びズーム撮影モードを選択可能とする選択手段と、
上記接写撮影モード及び上記ズーム撮影モードの選択に基づいて上記光学系のレンズを光軸方向に駆動する駆動手段と、
上記接写撮影モード及び上記ズーム撮影モードが選択されたときに上記駆動手段を介して上記光学系のレンズの駆動を上記フォーカス制御が合焦状態となる制限範囲に制限するように制御する制御手段と、
上記接写撮影モード及び上記ズーム撮影モードが選択されたときに上記表示手段に上記光学系のレンズの駆動範囲の表示をするための信号を上記制限範囲に対応して発生する表示信号発生手段と
を備えたことを特徴とする撮像装置。
【請求項２】
請求項１に記載の撮像装置において、
上記制御手段は、上記接写撮影モードが選択されたら上記ズーム撮影モードの操作がされる前に上記光学系のレンズの位置を上記制限範囲の接写側先端まで移動させるようにしたことを特徴とする撮像装置。
【請求項３】
請求項１に記載の撮像装置において、
上記制御手段は、通常時ズーム駆動信号生成用の通常時ズーム駆動テーブル及び接写時ズーム駆動信号生成用の接写時ズーム駆動テーブルを切替可能に設けることを特徴とする撮像装置。
【請求項４】
請求項３に記載の撮像装置において、
上記接写時ズーム駆動テーブルは、上記通常時ズーム駆動テーブルの上通通常時ズーム駆動信号に対して上通接写時ズーム駆動信号の出力範囲を制限するように設けたことを特徴とする撮像装置。
【請求項５】
請求項１に記載の撮像装置において、
上記接写撮影モード及び上記ズーム撮影モードが選択されたときに上記光学系のレンズの駆動範囲を示す表示範囲を上記制限範囲に対応して制限して表示すると共に、上記接写撮影モード及び上記ズーム撮影モードを示すアイコンを表示するようにしたことを特徴とする撮像装置。
【請求項６】
光学系のフォーカス制御を介して撮像手段により被写体を撮像し、表示手段に撮像画像を表示すると共に、記録手段により撮像画像を記録媒体に記録する撮像方法において、
接写撮影モード及びズーム撮影モードを選択するステップと、
上記接写撮影モード及び上記ズーム撮影モードが選択されたときに上記駆動手段を介して上記光学系のレンズの駆動を上記フォーカス制御が合焦状態となる制限範囲に制限するように制御するステップと、
上記接写撮影モード及び上記ズーム撮影モードの上記制御に基づいて上記光学系のレンズを光軸方向に駆動するステップと、
上記接写撮影モード及び上記ズーム撮影モードが選択されたときに上記表示手段に上記光学系のレンズの駆動範囲の表示をするための信号を上記制限範囲に対応して発生して上記光学系のレンズの駆動範囲の表示をするステップと
を備えたことを特徴とする撮像方法。
【請求項７】
請求項６に記載の撮像方法において、
上記制御ステップは、上記接写撮影モードが選択されたら上記ズーム撮影モードの操作がされる前に上記光学系のレンズの位置を上記制限範囲の接写側先端まで移動させるようにしたことを特徴とする撮像方法。
【請求項８】
請求項６に記載の撮像方法において、
上記制御ステップは、通常時ズーム駆動信号生成用の通常時ズーム駆動テーブル及び接写時ズーム駆動信号生成用の接写時ズーム駆動テーブルを切替可能に制御することを特徴とする撮像方法。
【請求項９】
請求項６に記載の撮像方法において、
上記接写時ズーム駆動テーブルは、上記通常時ズーム駆動テーブルの上通通常時ズーム駆動信号に対して上通接写時ズーム駆動信号の出力範囲を制限するようにしたことを特徴とする撮像方法。
【請求項１０】
請求項６に記載の撮像方法において、
上記接写撮影モード及び上記ズーム撮影モードが選択されたときに上記光学系のレンズの駆動範囲を示す表示範囲を上記制限範囲に対応して制限して表示すると共に、上記接写撮影モード及び上記ズーム撮影モードを示すアイコンを表示するようにしたことを特徴とする撮像方法。
【発明の詳細な説明】
【技術分野】
【０００１】
本発明は、例えば、デジタルカメラに適用して好適なマクロ撮影におけるズーム撮影を可能とする撮像装置及び撮像方法に関する。
【背景技術】
【０００２】
デジタルカメラのような電子カメラ装置では、接写撮影を可能とするいわゆるマクロ撮影モード及びワイド端(Ｗ)からテレ端(Ｔ)までズーム動作を可能とするズーム撮影モードを備えている。このようなデジタルカメラにおいてマクロ撮影モード及びズーム撮影モードにより取り込まれる被写体の画像はＣＣＤ（Charge Coupled Device）等による撮像素子によって光電変換、信号変換及び信号処理等が施された後に、表示装置に被写体のモニター画像（いわゆるスルー画像）として表示される。このモニター画像を見ながら、使用者が所望のタイミングでシャッターを押すと撮影がなされ、信号処理後の被写体の撮影画像は記録画像のデータとして記憶媒体に記録され、保存される。また、記録媒体に記録され、保存された記録画像の情報を読み出して液晶ディスプレイ等の表示装置上に再生して表示したり外部装置に出力することもできる。
【０００３】
このようなデジタルカメラでは、通常、表示装置に表示されるモニター画像と共に図９に示すようにズーム撮影モードによるワイド端(Ｗ)からテレ端(Ｔ)までのズームレンズの位置を示すズーム位置インジケータ９１及びマクロ撮影モードを示すマクロ撮影アイコンが画像として表示装置に表示される。しかし、ズーム位置インジケータ９１で示すズーム位置マーク可動範囲９２のうち、ワイド端(Ｗ)の１／３からテレ端(Ｔ)までの範囲はマクロ撮影時ピントボケ範囲９３となる。
【０００４】
ここで、ズームレンズをワイド端(Ｗ)からテレ端(Ｔ)まで全域を移動させると、広角領域において光量不足及びレンズ収差の不良が生じるため、マクロ撮影時においてズームレンズの機能に制約があるが、このための制限部材を移動可能にして、レンズ性能上許容される焦点距離範囲内で制限部材を移動させて撮影距離範囲の制限を解除するズームレンズのマクロ機構が開示されている（例えば、特許文献１を参照。）。
【０００５】
また、オートフォーカス機能を備えたデジタルカメラのマクロ撮影モードにおいて近接距離の被写体へのストロボの発光量を調整するためのスイッチング動作を必要最小限に抑える発光装置及びその制御方法が開示されている（例えば、特許文献２を参照。）。
【特許文献１】特公昭５７−６６４２５号公報
【特許文献２】特開平１１−１２６６９５号公報
【発明の開示】
【発明が解決しようとする課題】
【０００６】
このため、従来のデジタルカメラでは、マクロ撮影モードにおいてズームレンズワイド端(Ｗ)からテレ端(Ｔ)まで全域を移動可能であったため、ズーム位置インジケータ９１のズーム位置マーク可動範囲９２のうち、ズームレンズの位置はワイド端(Ｗ)よりもテレ端(Ｔ)側に設定されやすい。このとき、ズームレンズの位置をワイド端(Ｗ) 側に設定したときとほぼ同じ大きさの被写体の画角を決める際に、被写体から接写位置を離した分ズームレンズにより画像を拡大するため、オートフォーカス時の画像の先鋭度が低下することにより、ズーム位置インジケータ９１で示すズーム位置マーク可動範囲９２のうちマクロ撮影時ピントボケ範囲９３が生じるという不都合があった。
【０００７】
また、特許文献１に開示されているズームレンズのマクロ機構では、上述したように、制限部材やその解除機構をズームレンズ内に設けなければならず、ズームレンズの機構が複雑化し、この機構をオートフォーカス機能を備えたデジタルカメラへ適用することが難しいという不都合があった。
【０００８】
また、特許文献１に開示されているズームレンズのマクロ機構では、マクロ撮影モードにおけるズームレンズの移動可能範囲を表示部に表示できないことからユーザーが移動可能範囲を認識することができないため、操作性が悪いという不都合があった。
【０００９】
また、特許文献２に開示されている発光装置及びその制御方法は、オートフォーカス機能を備えたデジタルカメラのマクロ撮影モードについて述べられているが、ストロボの発光量調整のみでズーム撮影モードについては何ら開示されていない。
【００１０】
そこで、本発明は、オートフォーカス時に合焦範囲となるようにズームレンズの移動位置を制限して制御すると共に、ズームレンズの制限範囲に対応してズームレンズの移動可能範囲を表示部に表示して、マクロ撮影モードにおけるズーム動作を適正にして操作性を向上させることができる撮像装置及び撮像方法を提供することを目的とする。
【課題を解決するための手段】
【００１１】
上記課題を解決し、本発明の目的を達成するため、本発明の撮像装置は、接写撮影モード及びズーム撮影モードを選択可能とする選択手段と、接写撮影モード及びズーム撮影モードの選択に基づいて光学系のレンズを光軸方向に駆動する駆動手段と、接写撮影モード及びズーム撮影モードが選択されたときに駆動手段を介して光学系のレンズの駆動をフォーカス制御が合焦状態となる制限範囲に制限するように制御する制御手段と、接写撮影モード及びズーム撮影モードが選択されたときに表示手段に光学系のレンズの駆動範囲の表示をするための信号を制限範囲に対応して発生する表示信号発生手段とを備えたものである。
【００１２】
上述した本発明において、選択手段により接写撮影モード及びズーム撮影モードが選択されると、制御手段は駆動手段を介して光学系のレンズの駆動をフォーカス制御が合焦状態となる制限範囲に制限するように制御する。駆動手段は、このときの制御手段による制御に基づいてフォーカス制御が合焦状態となる制限範囲に制限するように光学系のレンズを光軸方向に駆動する。このとき、表示信号発生手段は、表示手段に光学系のレンズの駆動範囲の表示をするための信号を制限範囲に対応して発生する。これにより、表示手段は、制限範囲に対応して光学系のレンズの駆動範囲の表示をする。
【００１３】
また、本発明の撮像方法は、接写撮影モード及びズーム撮影モードを選択するステップと、接写撮影モード及びズーム撮影モードが選択されたときに駆動手段を介して光学系のレンズの駆動をフォーカス制御が合焦状態となる制限範囲に制限するように制御するステップと、接写撮影モード及びズーム撮影モードの制御に基づいて光学系のレンズを光軸方向に駆動するステップと、接写撮影モード及びズーム撮影モードが選択されたときに表示手段に光学系のレンズの駆動範囲の表示をするための信号を制限範囲に対応して発生して光学系のレンズの駆動範囲の表示をするステップとを備えたものである。
【００１４】
上述した本発明において、選択ステップにより接写撮影モード及びズーム撮影モードが選択されると、制御ステップは駆動手段を介して光学系のレンズの駆動をフォーカス制御が合焦状態となる制限範囲に制限するように制御する。駆動ステップは、このときの制御手段による制御に基づいてフォーカス制御が合焦状態となる制限範囲に制限するように光学系のレンズを光軸方向に駆動する。このとき、表示信号発生ステップは、表示手段に光学系のレンズの駆動範囲の表示をするための信号を制限範囲に対応して発生する。これにより、表示手段は、制限範囲に対応して光学系のレンズの駆動範囲の表示をする。
【発明の効果】
【００１５】
本発明によれば、オートフォーカス時に合焦範囲となるようにズームレンズの移動位置を制限して制御すると共に、ズームレンズの制限範囲に対応してズームレンズの移動可能範囲を表示部に表示することにより、マクロ撮影モードにおけるズーム動作を適正にすることができ、また、操作性を向上させることができる。
【発明を実施するための最良の形態】
【００１６】
以下に、本発明の実施の形態について適宜図面を参照しながら説明する。
図１は、本発明の実施の形態による撮像装置の一実施例としての構成を示すブロック図である。図１に示すように、この撮像装置は主として光学系ブロックと制御系ブロックで構成される。光学系ブロックは、撮影レンズ１と、オートフォーカス（ＡＦ）レンズを有するＡＦ制御部２と、ＡＦ制御部２のモーターを駆動するモーター駆動回路８と、ＣＣＤなどの固体撮像素子３とを備えている。
【００１７】
制御系ブロックは、信号処理回路４と、内部メモリ５と、液晶パネルなどの表示部６と、撮影されたデータを記録媒体９に記録する記録部７と、マクロ撮影モード及びズーム撮影モードの選択及び操作が可能なマクロ／ズーム操作部１１と、半押しでオートフォーカス制御のロックを指示して深押しで撮影動作を指示するシャッターキー１３と、これらを制御するＣＰＵ（Central Processing Unit）１０と、マクロ撮影モード及びズーム撮影モードが選択されたときにモーター駆動回路８を介して撮影レンズ１の駆動をＡＦ制御部２のフォーカス制御が合焦状態となる制限範囲に制限するように制御するマクロ時ズーム制御系１２と、から構成されている。
【００１８】
通常、電源スイッチがオンされると、図示しない電源部から電源電圧が供給され、モニター画像を表示する表示部６がモニタリング状態になる。そして、被写体からの反射光は撮影レンズ１を介して後述するオートフォーカスレンズで合焦されＣＣＤなどの固体撮像素子３の受光面に画像として結像される。この受光面に結像された画像は、その画像を形成する反射光の光量に応じた量の信号電荷に変換され、液晶パネルなどの表示部６に表示される。
【００１９】
このとき、入射された画像を形成する反射光のデータは一旦内部メモリ５に保存され、この保存されたデータの高周波成分がＣＰＵ１０に供給される。ＣＰＵ１０は、供給されるデータに基づいてＡＦ制御部２によりオートフォーカスレンズが合焦になるようにモーター駆動回路８を逐次制御する。このオートフォーカス制御は、シャッターキー１３の半押し操作時に実行される。
【００２０】
ここで、マクロ／ズーム操作部１１によりマクロ撮影モード及びズーム撮影モードの選択及び操作がされると、マクロ時ズーム制御系１２はモーター駆動回路８を介して撮影レンズ１の駆動をＡＦ制御部２のフォーカス制御が合焦状態となる制限範囲に制限するように制御する。
【００２１】
これにより、マクロ撮影モードにより被写体に近接した状態でズーム動作をしながら撮影を行う際に、ズームレンズの移動範囲がＡＦ制御部２のフォーカス制御が合焦状態となる制限範囲に制限されるので、マクロ撮影モードにおいて適正なズームレンズ移動範囲にズーム動作を制御することができ、また、表示部６に後述する適正なズームレンズ移動範囲が表示されるので、適正なズームレンズ移動範囲内でのみズーム動作が可能なことがユーザーの視覚により認識され、操作性を向上させることができる。
【００２２】
図２に、ＡＦ制御部の構成例を示す。図２において、撮像された画像は、ＣＣＤなどの固体撮像素子３により光電変換され、ＣＤＳ（Correlated Double Sampling Circuit:相関二重サンプリング回路）２１、ＡＧＣ（Automatic Gain Control）２２及びＡＤ(Analog to Digital)変換部２３により信号変換処理が施される。その後、信号処理部２４において、ＣＰＵ１０からの検出範囲の選定Ｃ１に基づいて画像の高周波成分が抽出され、ＡＦ検波回路２５に送られる。ＡＦ検波回路２５は、この入力された高周波成分を１フィールド期間積分し、ＣＰＵ１０はこの積分値が最大となるようにモーター駆動回路８に制御信号Ｃ２を供給して、オートフォーカスレンズ２７を移動させるモーター２６を制御する。
【００２３】
図１に示す内部メモリ５には、上記オートフォーカス制御時のモニター画像の鮮鋭度データも一時的に保存される。そして、このオートフォーカス制御状態においても表示部６にモニター画像が表示される。この状態からシャッターキー１３の半押し操作がなされ、オートフォーカス制御のロックが指示されると、図２に示したオートフォーカス制御方式などによって画像は比較的容易に合焦する。この時、先のシャッターキー１３の半押し操作のロック時の鮮鋭度データを保持するようにする。このロック状態のモニター画像も表示部６に表示され、この後、シャッターキー１３が深押しされると画像データがキャプチャーされる状態となって内部メモリ５に保存される。このキャプチャー状態も表示部６にモニター画像として表示される。
【００２４】
上述したロック時の画像の鮮鋭度データ、すなわち、ロック画像の鮮鋭度データがＣＰＵ１０に供給され演算処理が行われる。そして、ＣＰＵ１０は、この演算処理結果に基づいて手ブレやピントボケを判断し、ピントボケを起こしている可能性がある時は表示部６で撮影者に知らせるとともに、撮影者に対して記録媒体１２に記録するかどうかの問合せを行うようにしている。
【００２５】
図３は、撮像レンズの構造を示す図である（インナーフォーカスレンズ）。
図３において、この撮像レンズでは、対物レンズ３１とＣＣＤ３との間の筒状レンズユニット内に、バリエーター（ズームレンズ）３２と、マクロ時補正レンズ３３と、オートフォーカスレンズ２７が光軸方向に移動可能に配置されている。バリエーター（ズームレンズ）３２は、焦点距離を変えるためのズーム動作をする。オートフォーカスレンズ２７は、上述したように被写体の結像位置を調節するオートフォーカス動作をする。
【００２６】
図３に示す撮像レンズは、レンズユニット内にオートフォーカスレンズ２７が配置されるインナーフォーカスレンズ型である。このインナーフォーカスレンズ型は、オートフォーカスレンズ２７を小さくすることができるので、オートフォーカスレンズ２７の速い動きをすることができ、構造を簡単にすることができるが、バリエーター（ズームレンズ）３２を動かしたときのフォーカス補正の動作が必要となる。一般に、家庭用ビデオカメラのズームレンズはこの方式を用いている。
【００２７】
マクロ時補正レンズ３３は、マクロ撮影時にバリエーター（ズームレンズ）３２を動かしたときにフォーカス位置がずれるため、オートフォーカスレンズ２７に対する補正動作をする。この補正量は、バリエーター（ズームレンズ）３２及びオートフォーカスレンズ２７の位置データをもとにＣＰＵ１０で演算して求めるようにする。
【００２８】
ここで、マクロ／ズーム操作部１１によりマクロ撮影モード及びズーム撮影モードの選択及び操作がされると、マクロ時ズーム制御系１２はモーター駆動回路８を介して撮影レンズ１の駆動をＡＦ制御部２のフォーカス制御が合焦状態となる制限範囲に制限するように制御する。
【００２９】
これにより、マクロ撮影モードにより被写体に近接した状態でズーム動作をしながら撮影を行う際に、バリエーター（ズームレンズ）３２の移動範囲３６が３４で示す通常ＡＦ時に対して３５で示すマクロ時のバリエーター（ズームレンズ）移動範囲に制限される。このマクロ時のバリエーター（ズームレンズ）移動範囲３５は、ＡＦ制御部２のフォーカス制御が合焦状態となる範囲である。したがって、この移動範囲３５内でマクロ撮影モードにおいて適正範囲にズーム動作を制御することができる。
撮像レンズは、図３に示すインナーフォーカスレンズ型に限らず、以下に示す他の構造のものでもよい。
【００３０】
図４は、他の撮像レンズの構造を示す図である（前玉フォーカスレンズ）。
図４において、この撮像レンズでは、フォーカスレンズ２７とＣＣＤ３との間の筒状レンズユニット内に、バリエーター（ズームレンズ）４１と、コンペンセーター（ズーム補正用レンズ）４２が光軸方向に移動可能に配置されている。バリエーター（ズームレンズ）４１は、焦点距離を変えるためのズーム動作をする。コンペンセーター（ズーム補正用レンズ）４２は、ズーム動作中にフォーカス位置がずれないようにバリエーター（ズームレンズ）４１と連動して動作をする。オートフォーカスレンズ２７は、上述したように被写体の決増位置を調節するオートフォーカス動作をする。
【００３１】
図４に示す撮像レンズは、レンズユニットの先端にオートフォーカスレンズ２７が配置される前玉フォーカスレンズ型である。この前玉フォーカスレンズ型は、ズーム動作中でもコンペンセーター（ズーム補正用レンズ）４２の働きにより、フォーカス位置がずれないようにしてマニュアルズーム動作をすることができるが、オートフォーカスレンズ２７が大きいので、オートフォーカスレンズ２７の速い動きをすることができない。一般に、フィルム式カメラや業務用ビデオカメラのズームレンズはこの方式を用いている。
【００３２】
図５は、実際の撮像レンズにおけるｎ枚で各レンズ群(数枚)を構成する図である。
図５に示すように、上述した撮像レンズは、１枚ずつ構成されるのではなく、必要な光学特性を得るため、実際には、１群５１、２群５２、３群５３、４群５４のように、各々ｎ枚で各レンズ群(数枚) ５５を構成している。
【００３３】
図６は、マクロ撮影モードにおけるズーム動作の制御系の構成を示す機能ブロック図である。図６は、ＣＰＵの機能ブロック図であるが、ここではＣＰＵ以外のメモリ５を含む機能ブロックも示している。
図６において、ＣＰＵ１０は、マクロボタン６１の操作によるマクロ撮影モードの選択及びズームボタン６２の操作によるズーム撮影モードの選択によりマクロ撮影モードにおけるズーム動作の制御系の制御部のコントローラ６３と、コントローラ６３からの制御により表示部６に後述する適正に制限されたズームレンズ移動範囲を表示するための表示信号を生成するＣＧ（Computer Graphics（ＯＳＤ(On Screen Display）)部６９と、この適正なズームレンズ移動範囲を表示するための表示信号をバリエーター（ズームレンズ）３２を介して撮像された映像信号Ｖと加算して表示部６に出力する加算器７０を機能として備えている。
【００３４】
これにより、表示部６に、マクロ撮影モードにおけるズーム動作の制御に対応して、適正に制限されたズームレンズ移動範囲を表示することができる。
【００３５】
また、コントローラ６３は、通常ズーム動作時にズームレンズを移動範囲全域に動作させるための制御信号をドライバー６７へ出力する通常時ズーム駆動テーブル６４と、マクロ時のズーム動作の際にズームレンズを適正に制限された移動範囲に動作させるための制御信号をドライバー６７へ出力するマクロ時ズーム駆動テーブル６５と、２つのテーブルを切り替えて制御信号をドライバー６７へ出力するスイッチ６６を機能として備えている。
【００３６】
ここで、通常時ズーム駆動テーブル６４は、例えば、最大光学６倍の倍率を得ることができるように１６進数で、００、０１、０２・・・１５の制御信号を格納するデータテーブルである。これに対して、マクロ時ズーム駆動テーブル６５は、最大光学２倍の倍率を得ることができるように１６進数で、００、０１、０２・・・０５の制御信号を格納するデータテーブルである。
【００３７】
これにより、ドライバー６７はマクロ撮影モードにおけるズーム動作の制御時にマクロ時ズーム駆動テーブル６５の制御信号に応じた駆動信号をズームモーター６８に供給し、バリエーター（ズームレンズ）３２はズームモーター６８により適正に制限された移動範囲に動作することができる。
【００３８】
図７は、マクロ撮影モードにおけるズーム動作を示すフローチャートである。図７は、上述した図６に示したマクロ撮影モードにおけるズーム動作の制御系の動作を示すものである。
図７において、図６に示したマクロボタン６１が押下されたか否かをＣＰＵ１０のコントローラ６３が判断する（ステップＳ１）。ステップＳ１でマクロボタン６１が押下されたと判断されたときは、コントローラ６３は、ドライバー６７及びズームモーター６８を介してバリエーター（ズームレンズ）３２のズーム位置をwide端に移動させて初期設定する（ステップＳ２）。ここで、ズームボタン６２が押下されたか否かをＣＰＵ１０のコントローラ６３が判断する（ステップＳ３）。
【００３９】
ステップＳ３でズームボタン６２が押下されたと判断されたときは、コントローラ６３は、マクロ時ズーム駆動テーブル６５側にスイッチ６６を切り替える（ステップＳ４）。そこで、コントローラ６３は、バリエーター（ズームレンズ）３２をマクロ時ズーム駆動テーブル６５で制御する。
【００４０】
すなわち、マクロ時のズーム動作の際にズームレンズを１／３範囲に制限された移動範囲に動作させるための制御信号をドライバー６７へ出力して、ドライバー６７はマクロ時ズーム駆動テーブル６５の制御信号に応じた駆動信号をズームモーター６８に供給し、バリエーター（ズームレンズ）３２はズームモーター６８により適正に制限された移動範囲に動作する（ステップＳ５）。
【００４１】
そしてこのとき、表示部６に、マクロ撮影モードにおけるズーム動作の制御に対応して、１／３範囲に制限されたレンズ移動範囲を示すズームオートロック状態のズーム位置インジケータとこの状態を示すマクロ撮影ズームオートロックアイコンを表示する（ステップＳ６）。
【００４２】
一方、ステップＳ１でマクロボタン６１が押下されないと判断されたときは、次に、ズームボタン６２が押下されたか否かをＣＰＵ１０のコントローラ６３が判断する（ステップＳ７）。ステップＳ７でズームボタン６２が押下されたと判断されたときは、コントローラ６３は、通常時ズーム駆動テーブル６４側にスイッチ６６を切り替える（ステップＳ８）。そこで、コントローラ６３は、バリエーター（ズームレンズ）３２を通常時ズーム駆動テーブル６４で制御する。
【００４３】
すなわち、通常時のズーム動作の際にズームレンズを全範囲の移動範囲に動作させるための制御信号をドライバー６７へ出力して、ドライバー６７は通常時ズーム駆動テーブル６４の制御信号に応じた駆動信号をズームモーター６８に供給し、バリエーター（ズームレンズ）３２はズームモーター６８により全範囲の移動範囲に動作する（ステップＳ９）。
【００４４】
そしてこのとき、表示部６に、通常撮影モードにおけるズーム動作の制御に対応して、全範囲のレンズ移動範囲を示す通常ズーム状態のズーム位置インジケータとこの状態を示す通常撮影ズームアイコンを表示する（ステップＳ１０）。
【００４５】
図８は、表示部におけるズーム位置インジケータとマクロ撮影アイコンを示す図であり、図８Ａは本発明の表示例、図８Ｂは他の表示例である。
図８Ａの表示例において、表示部６に１／３範囲８３に制限されたレンズ移動範囲を示すズームオートロック状態のマクロ時ズーム位置インジケータ８１とこの状態をマークで示すマクロ撮影ズームオートロックアイコン８４を表示する。ここで、マクロ時ズーム位置インジケータ８１は、全範囲に対して１／３範囲８３に制限されたフォーカスが合う範囲８２を示すレンズ移動範囲のみを移動可能として、他の範囲を移動不可とするように他の範囲を斜線や×印などで表示する。
【００４６】
また、これに限らず、図８Ｂの他の表示例において、表示部６に１／３範囲８７に制限されたレンズ移動範囲のみを示すズームオートロック状態のマクロ時ズーム位置インジケータ８５とこの状態をマークで示すマクロ撮影ズームオートロックアイコン８８を表示する。ここで、マクロ時ズーム位置インジケータ８５は、全範囲に対して１／３範囲８７に制限されたフォーカスが合う範囲８６を示すレンズ移動範囲のみを表示する。
【００４７】
また本発明の実施の形態では、デジタルカメラに適用される例を示したが、これに限らず、携帯電話や携帯端末に装着される撮像装置に適用するようにしてもよい。
【図面の簡単な説明】
【００４８】
【図１】本発明の実施の形態による撮像装置の構成を示すブロック図である。
【図２】ＡＦ制御部の構成の一例を示す図である。
【図３】撮像レンズの構造を示す図である（インナーフォーカスレンズ）。
【図４】他の撮像レンズの構造を示す図である（前玉フォーカスレンズ）。
【図５】実際の撮像レンズにおけるｎ枚で各レンズ群(数枚)を構成する図である。
【図６】マクロ撮影モードにおけるズーム動作の制御系の構成を示す機能ブロック図である。
【図７】マクロ撮影モードにおけるズーム動作を示すフローチャートである。
【図８】表示部におけるズーム位置インジケータとマクロ撮影アイコンを示す図であり、図８Ａは本発明の表示例、図８Ｂは他の表示例である。
【図９】従来の表示例を示す図である。
【符号の説明】
【００４９】
１…撮影レンズ、２…ＡＦ制御部、３…固体撮像素子、４…信号処理回路、５…内部メモリ、６…表示部、７…記録部、８…モーター駆動回路、９…記録媒体、１０…ＣＰＵ、１１…マクロ／ズーム操作部、１２…マクロ時ズーム制御系、１３…シャッターキー、２１…CDS、２２…AGC、２３…AD変換部、２４…信号処理部、２５…ＡＦ検波回路、２６…モーター、２７…オートフォーカスレンズ、３１…対物レンズ、３２…バリエーター（ズームレンズ）、３３…マクロ時補正レンズ、３４…通常ＡＦ時、３５…マクロ時、３６…バリエーター（ズームレンズ）移動範囲、４１…バリエーター（ズームレンズ）、４２…コンペンセーター（ズーム補正用レンズ）、５１…１群、５２…２群、５３…３群、５４…４群、５５…群（ｎ枚）構成、６１…マクロボタン、６２…ズームボタン、６３…コントローラ、６４…通常時ズーム駆動テーブル、６５…マクロ時ズーム駆動テーブル、６６…スイッチ、６７…ドライバー、６８…ズームモーター、６９…ＣＧ（ＯＳＤ）、７０…加算器、８１…マクロ時ズーム位置インジケータ、８２…ピントＯＫ範囲、８３…１／３範囲、８４…マクロ撮影アイコン、８５…マクロ時ズーム位置インジケータ、８６…ピントＯＫ範囲、８７…１／３範囲、８８…マクロ撮影アイコン、
【図１】
2005249870.tif 000003
【図２】
2005249870.tif 000004
【図３】
2005249870.tif 000005
【図４】
2005249870.tif 000006
【図５】
2005249870.tif 000007
【図６】
2005249870.tif 000008
【図７】
2005249870.tif 000009
【図８】
2005249870.tif 000010
【図９】
2005249870.tif 000011